(57)【要約】【課題】  複数に分別して入れた収納物が、混ざらずに別々に回収できる選別回収容器を提供する。【解決手段】  低部の対称軸線Ｘ上に枢支部３、３を配設した左右対称形の容器１と、  該容器１の枢支部３、３に下端部２ｂに設けた枢支部７、７を枢着して前記対称軸Ｘを支点に左右擺動可能に装着した仕切板２と、該仕切板２の側辺部２ｄ、２ｅを直立状態に掛止可能に前記容器１の対向側壁１ｄ、１ｅに固設した仕切板保持片４、４と、該仕切板１の上部にスライド延長手段６を介して該仕切板２を倒したときに先端部５ａが容器１の対向開口縁１a、１ｂに達すように該仕切板２の上端部２ａから出没可能とした延長板５とから構成される。そして、前記仕切板２で区分けした容器１内の収納物を該仕切板２の擺動操作で別々に排出できるようにする【選択図】    図２
2007290808.tif 000002
【特許請求の範囲】
【請求項１】
低部の対称軸線上に枢支部を配設した左右対称形の容器内に、
該容器の枢支部に下端部に設けた枢支部を枢着して前記対称軸を支点に左右擺動可能に装着した仕切板と、
該仕切板の側部を直立状態に掛止可能に前記容器の対向側壁に固設した仕切板保持片と、
該仕切板の上部にスライド延長手段を介して該仕切板を倒したときに先端部が容器の対向開口縁に達すように該仕切板の上端部から出没可能とした延長板と、
から成り、
前記仕切板で区分けした容器内の収納物を該仕切板の擺動操作で別々に排出できるようにしたことを特徴とする選別回収容器。
【請求項２】
低部の対称軸線上に枢支部を配設した左右対称形の容器内に、
該容器の枢支部に下端部に設けた枢支部を枢着して前記対称軸を支点に左右擺動可能に装着した仕切板と、
該仕切板の側部を直立状態に掛止可能に前記容器の対向側壁に固設した仕切板保持片と、
該仕切板の上部にヒンジを介して該仕切板を倒したときに先端部が容器の対向開口縁に達すように該仕切板の上端部に開閉可能とした延長板と、
から成り、
前記仕切板で区分けした容器内の収納物を該仕切板の擺動操作で別々に排出できるようにしたことを特徴とする選別回収容器。
【請求項３】
容器低部の枢支部が、左右対称形の容器の底面及び／又は対向側壁低部の対称軸線上に配設した枢支部か、容器底部の対称軸線上に立ち上げた直立板の上部及び／又は該直立板の上端部に近傍の対向側壁に配設した枢支部か、又は容器の対向側壁の低部側の中間高さ部位に配設した枢支部か、のいずれかの枢支部としたことを特徴とする請求項１又は２に記載の選別回収容器。
【請求項４】
容器の形状が対称軸線を基準に湾曲又は屈曲して左右対称形に形成した容器であり、仕切板及び延長状態の延長板の側辺部が前記容器の対向側壁内面に密接する形状を成し、前記容器の対向側壁に、前記仕切板の側辺部が密接する形状に辺縁を突出形成した隙間補完板を固設したこと特徴とする請求項１から３のうちいずれかに記載の選別回収容器。
【請求項５】
対称軸線と平行に容器低部に間隔を置いて配設した複数の枢支部と、該各枢支部に枢支した延長板を備えた各仕切板とから成り、前記各仕切板で容器内を３つ以上の空間に分割可能としたことを特徴とする請求項１から４のうちいずれかに記載の選別回収容器。
【発明の詳細な説明】
【技術分野】
【０００１】
本発明は、ゴミ箱などの分別収納可能とする容器に関する。
【背景技術】
【０００２】
従来、家庭用のゴミ箱などではいろんなものが収納されているが、多くの自治体では分別回収によりごみのリサイクル化を推進している。
通常、ゴミは分別する種類の数だけゴミ箱を用意してそれらを別々に回収すればよいが、一部屋に多くのゴミ箱を置くことは室内の美感を損ない、また室内のスペースによっては複数設置が難しい場合もある。
そこで、特許文献１に記載のように箱内の収納空間を板で仕切って、ゴミを捨てるときには仕切られた収納空間に別々に種分して捨てられるようにしたゴミ箱が提案されている。
【特許文献１】実開平６−２０４２６号公報
【発明の開示】
【発明が解決しようとする課題】
【０００３】
しかしながら、上記特許文献１のようなゴミ箱では、そのゴミ箱からゴミ袋などに回収するときに、両側の口が開いた状態となっているので、中のゴミは全て一緒なってゴミ袋に放出されるので、その際に分別して入れたゴミが混合されてしまい、ゴミ箱に入れるときにせっかく分別したことが全く無駄になってしまう難点があった。
一応、片側の口を手で塞いでゴミ袋に放出すれば分別して入れたゴミが混ざらずにゴミ袋に回収することが可能であるが、その場合にはゴミで手が汚れるなどの難点がある。
そこで本発明は、ゴミ箱に分別して入れたゴミを、手を汚すことなく簡単に分別状態のままでゴミ袋へ混ざることなく別々に回収可能となる容器を提供することを目的とする。
【課題を解決するための手段】
【０００４】
上記課題を解決するために本発明の選別回収容器は、請求項１に記載の発明においては、
低部の対称軸線上に枢支部を配設した左右対称形の容器内に、該容器の枢支部に下端部に設けた枢支部を枢着して前記対称軸を支点に左右擺動可能に装着した仕切板と、該仕切板の側部を直立状態に掛止可能に前記容器の対向側壁に固設した仕切板保持片と、該仕切板の上部にスライド延長手段を介して該仕切板を倒したときに先端部が容器の対向開口縁に達すように該仕切板の上端部から出没可能とした延長板とから構成される。
そして、前記仕切板で区分けした容器内の収納物を該仕切板の擺動操作で別々に排出できるようにしたことを特徴とする
【０００５】
請求項２に記載の発明は、低部の対称軸線上に枢支部を配設した左右対称形の容器内に、該容器の枢支部に下端部に設けた枢支部を枢着して前記対称軸を支点に左右擺動可能に装着した仕切板と、該仕切板の側部を直立状態に掛止可能に前記容器の対向側壁に固設した仕切板保持片と、該仕切板の上部にヒンジを介して該仕切板を倒したときに先端部が容器の対向開口縁に達すように該仕切板の上端部に開閉可能とした延長板とから構成される。
そして、前記仕切板で区分けした容器内の収納物を該仕切板の擺動操作で別々に排出できるようにしたことを特徴とする。
【０００６】
請求項３に記載の発明は、上記各発明において、前記容器低部の枢支部が、左右対称形の容器の底面及び／又は対向側壁低部の対称軸線上に配設した枢支部か、容器底部の対称軸線上に立ち上げた直立板の上部及び／又は該直立板の上端部に近傍の対向側壁に配設した枢支部か、又は容器の対向側壁の低部側の中間高さ部位に配設した枢支部か、のいずれかの枢支部としたことを特徴とする。
【０００７】
請求項４に記載の発明は、上記各発明において、前記容器の形状が対称軸線を基準に湾曲又は屈曲して左右対称形に形成した容器であり、仕切板及び延長状態の延長板の側辺部が前記容器の対向側壁内面に密接する形状を成し、前記容器の対向側壁に、前記仕切板の側辺部が密接する形状に辺縁を突出形成した隙間補完板を固設したこと特徴とする。
【０００８】
請求項５に記載の発明は、上記各発明において、前記対称軸線と平行に容器低部に間隔を置いて配設した複数の枢支部と、該各枢支部に枢支した延長板を備えた各仕切板とから成り、前記各仕切板で容器内を３つ以上の空間に分割可能としたことを特徴とする。
【発明の効果】
【０００９】
本発明の選別回収容器は上記構成なので、前記仕切板の先端部から延長板を延長させて該仕切板を枢支部を支点に左右交互に擺動させたときに、前記容器のいずれか一方の開口縁に延長板の先端部が当接し、その当接側の容器の開口を完全に封鎖して収納物の排出を交互に止めて他方側からのみ収納物が排出できるようになる。
したがって、容器がゴミ箱の場合では、分別して入れたゴミを、その分別状態のままでゴミ袋へ混ざることなく別々に回収することが可能となる。
前記仕切板にはスライド延長手段又はヒンジを介することによって該延長板の先端部を延長させることが可能となる。
その際、前記仕切板を左右交互に擺動させたときに前記延長板の先端部は前記容器のいずれか一方の開口縁まで届き、その当接側の容器の開口を完全に封鎖することが可能となり、容器一杯に入れられた仕切板当接側の収納物を押さえて、他方からにゴミと一緒に排出され混合されてしまうのを防ぐことが可能となる。
しかしながら、このような形態では倒した仕切板当接側の収納空間は前記仕切板の移動によって狭まってしまう難点がある。
したがって、この場合では、入れるゴミの量や質を考慮して、仕切板当接側の容器の開口を前記延長板の先端部で完全に封鎖できる程度で抑えるようにして使用する。
【００１０】
本発明では、前記容器低部の枢支部について、左右対称形の容器の底面及び／又は対向側壁の低部の対称軸線上に配設した枢支部とする形態と、容器底部の対称軸線上に立ち上げた直立板の上部及び／又は該直立板の上端部に近傍の対向側壁に配設した枢支部とする形態と、容器の対向側壁の低部側の中間高さ部位に配設した枢支部とする形態のいずれかの枢支部の形態が可能であり、それらの形態は、容器の大きさ、深さ、収納物の種類など使用目的に応じて最適な形態に選択し使用することが可能である。
即ち、容器の底面又は対向側壁の低部の対称軸線上に配設した枢支部を備えた形態では、収納空間の中間部でも収納物が押し潰されることなるので、紙ごみなど簡単に押し潰すことができる収納物を入れるのに適している。
【００１１】
また、容器底部に立ち上げた直立板の上部に配設した枢支部を備えた形態では、前記直立板以下の空間は狭められることはないので、底からその高さまでの空間には空き缶など押し潰すことができない収納物を入れることが可能となる。
さらに、容器の対向側壁の低部側の中間高さ部位に枢支部を配設した形態では、容器の底面に枢支部を設けた形態よりも空間中間部での収納物の押し潰される容量を少なくできるので、紙ごみなどをより多く収納することが可能となる。
なお、例えば一方に空き缶を、他方に紙ゴミを分別する場合などでは、紙ごみなど簡単に押し潰すことができる方に仕切板を倒し、先に空き缶など押し潰すことができない収納物を入れた方を排出する手順で使用する。
【００１２】
前記容器の形状は、対称軸線を基準に左右対称形にしないと空間が狭い一方には仕切板が倒せなくなるが、左右対称形であれば、容器の形状は湾曲又は屈曲した形状であっても使用な可能である。したがってその容器は長方形以外にも好みに応じて楕円形や多角形など多様なデザインに形成することが可能となる
さらに、前記対称軸線と平行に容器低部に間隔を置いて配設した複数の枢支部に前記仕切板を装着した容器の形態では、分別したい種類の数だけ容器内を仕切板で仕切ったものが使用可能となる。
【発明を実施するための最良の形態】
【００１３】
本発明の選別回収容器の形態について以下詳しく説明する。
本発明は、図１に示すように、左右対称形の容器１の対称軸となる線Ｘ上の底面１ｃに隣接する対向側壁１ｄ、１ｅの低部に枢支部３、３を配設する。
そして、下端部２ｂに設けた枢支部７、７を前記容器１の枢支部３、３に枢支して上端部２aが前記対称軸Ｘを支点として左右擺動可能とした仕切板２を装着する。
また、前記仕切板２の側部２ｄ、２ｅを直立状態に掛止可能とする仕切板保持片４、４を前記容器１の対向側壁１ｄ、１ｅに固着する。
このように、前記左右対称形の容器１の上部の開口空間を前記仕切板２の上端縁２ａで２分割して前記容器１内を垂直な板面２ｃで二つの空間Ｓ１、Ｓ２に仕切る。
さらに、図２に示すように、前記仕切板２の上部に、スライド延長手段６を介して該仕切板２を倒したときに先端部５ａが容器１の対向開口縁１a、１ｂに達すように該仕切板２の上端縁２ａから出没可能とした延長板５を設ける。
上記長方形の容器１では前記仕切板２の側辺部２ｄ、２ｅを前記容器１の横幅と同じにし、且つ前記仕切板２の横幅は該仕切板２横幅と同じに形成することで、仕切板２の各側辺部２ｄ、２ｅが容器１の対向側壁１ｄ、１ｅに密接状態となるようにする。
【００１４】
こうして、図４の一点鎖線に示すように、前記仕切板２の上端部２ａを手で擺動操作して、前記容器１のいずれか一方の対向開口縁１a、１ｂに延長板５に先端部５ａを当接させ、その当接側の容器の開口を完全に封鎖し、容器１内部の仕切空間Ｓ１、Ｓ２内の別種の収納物を別々に他方側からのみ排出できるようにする。
即ち、容器１の内部の仕切空間Ｓ１、Ｓ２内の収納物は、容器１を逆さにしても両者は混合されず別々に交互に排出させることが可能となる。
【００１５】
前記スライド延長手段６は、図１及び図２では前記仕切板２には延長レール６ａを装着しその延長レール６ａに前記延長板５に設けたスライダー６ｂが嵌合されて上下にスライドできるようにしたものを示している。
前記スライド延長手段６は、前記仕切板２の上端部２ａから延長板５の先端部５ａを主出没させて延長させるための手段なので、上記態様の他にも、仕切板２の側辺部２ｄ、２ｅに設けた外枠の内側に延長板５の側部辺縁を嵌合させて上下にスライドさせる態様（図省略）など各種の態様が可能である。
【００１６】
また、上記スライド延長手段６に替えて、図３に示すように、ヒンジ１０で前記仕切板２と延長板５とを繋ぎ、開閉させることで前記仕切板２の上端部２ａから延長板５の先端部５ａを容器１の対向開口縁１a、１ｂに達すように延長させることが可能となる。
前記延長板５は、該仕切板２を倒したときに、仕切板２のみでは、図１１に示すように、上端部２ａが容器１の対向開口縁１a、１ｂに到達できず、板面２ｃが収納空間内の収納物に当たって片方の開口を封鎖しきることができなくなるのを防止し、またより多く収納物を入れて開口を封鎖しきるようにするためである。
【００１７】
前記容器１の低部の枢支部３は、図４及び図５に示すように、左右対称形の容器１の底面１ｃ及び／又は対向側壁１ｄ、１ｅ低部の対称軸線Ｘ上に配設した枢支部３とした形態が可能であり、また、図７及び図８に示すように、容器１底部１ｃの対称軸Ｘ線上に立ち上げた直立板８の上部及び／又は該直立板８の上端部８ａに近傍の対向側壁１ｄ、１ｅに配設した枢支部３とした形態や、図６に示すように、又は容器の対向側壁１ｄ、１ｅの低部側の中間高さ部位に配設した枢支部３とした形態など、任意に選択することが可能である。
【００１８】
また、図９及び図１０に示すように、前記容器１の形状が対称軸線Ｘを基準に湾曲又は屈曲して左右対称形に形成した容器１も可能であり、この場合、前記仕切板２及び延長状態の延長板５の側辺部２ｄ、２ｅ、５ｂ、５ｃが前記容器１の対向側壁１ｄ、１ｅの内面に密接する形状に形成し、前記仕切板２の側辺部２ｄ、２ｅと前記容器１の対向側壁１ｄ、１ｅに生じる隙間を閉じるために、前記容器１の対向側壁１ｄ、１ｅに前記仕切板２の側辺部２ｄ、２ｅが密接する形状に辺縁を突出形成した隙間補完板９を固設する形態が可能である。
【００１９】
さらに、図５及び図８に示すように、前記対称軸線Ｘと平行に容器低部１ｃに間隔を置いて複数の枢支部３を設け、それらの各枢支部３に、延長板５を備えた各仕切板２を枢支することも可能である。こうすれば、前記各仕切板２で容器１内の空間を３つ以上の収納空間Ｓ1、Ｓ2、Ｓ3に分割可能となる。
【００２０】
次に本発明の使用方法を説明する。
使用中は、前記仕切板２の側辺部２ｄ、２ｅを直立状態に仕切板保持片４、４に掛止する。
そのまま収納物を種類の分別をしつつ投入する。
そして、回収時は、先ず前記仕切板２の上端部２ａから延長板５を引き出し、前記仕切板２を擺動させて一方の口を封鎖し、延長板５を手で押さえて、そのまま他方側の口からその中の収納物の排出をする。
次に、他方側の口へ前記仕切板２を擺動させて封鎖し、そのまま延長板５を手で押さえて、一方側の口からその中の収納物の排出を行う。
これにより中の収納物は混合されることなく別々に排出することが可能となる。
なお、延長板５は手で押さえても良いが、前記容器１の両対向開口縁１a、１ｂと前記延長板５の先端部５ａとに係止可能なフック（図中省略）を装着すれば、そのフックで前記延長板５の先端部５ａを容器１の上端部に一時的に係止し、延長板５を手で押さえずに中の収納物の排出するも可能となる。
【産業上の利用可能性】
【００２１】
本発明は、主として家庭用のゴミなどの選別回収容器であるが、収納物の分別収納は必要な工場の部品収納用や建設工事の廃材収納用などの大型容器に利用することも可能である。
【図面の簡単な説明】
【００２２】
【図１】本発明の延長板の延長手段が延長レールによる形態の両方の口を開けた状態を示す斜視図。
【図２】図１の形態の一方の口を閉じた状態を示す斜視図。
【図３】延長板がヒンジで開閉される形態の両方の口を開けた状態を示す斜視図。
【図４】図１の形態の両側の口を閉じる様子を示す縦断側面図。
【図５】仕切板が２枚である形態の両側の口を閉じる様子を示す縦断側面図。
【図６】仕切板が１枚の形態の縦断側面図。
【図７】仕切板が１枚の別の形態の縦断側面図。
【図８】仕切板が２枚の別の形態の縦断側面図。
【図９】別形態の容器の両方の口を開けた状態を示す斜視図。
【図１０】図９の形態の片方の口を閉じた状態を示す斜視図。
【図１１】仕切板に延長板を設けない場合の参考斜視図。
【符号の説明】
【００２３】
１    容器
１ａ  容器の対向上端部
１ｂ  容器の対向上端部
１ｃ  容器の底面
１ｄ  容器の対向側壁
１ｅ  容器の対向側壁
２    仕切板
２ａ  仕切板の上端部
２ｂ  仕切板の下端部
２ｃ  仕切板の板面
２ｄ  仕切板の側辺部
２ｅ  仕切板の側辺部
３    枢支部
４    仕切板保持片
５    延長板
５ａ  先端部
５ｂ  仕切板の側辺部
５ｃ  仕切板の側辺部
６    スライド延長手段
６ａ  仕切板の延長レール
６ｂ  延長板のスライダー
７    枢支部
８    直立板
８ａ  直立板の上端部
９    隙間補完板
１０  ヒンジ
Ｓ１、Ｓ２、Ｓ３  仕切り空間
Ｘ    対称軸線
【図１】
2007290808.tif 000003
【図２】
2007290808.tif 000004
【図３】
2007290808.tif 000005
【図４】
2007290808.tif 000006
【図５】
2007290808.tif 000007
【図６】
2007290808.tif 000008
【図７】
2007290808.tif 000009
【図８】
2007290808.tif 000010
【図９】
2007290808.tif 000011
【図１０】
2007290808.tif 000012
【図１１】
2007290808.tif 000013